(57)【要約】【課題】起動時に複雑な制御が不要で装置を簡易化できる発電機の励磁装置を得る。【解決手段】発電機１の起動時には断路器１２及び界磁遮断器６を閉じ、直流電源線９側から発電機１の界磁巻線１ａに励磁電流が供給される。この時点で発電機１の出力は低く、サイリスタ整流器５はゲート制御されず、開放の状態にある。発電機１の回転上昇にともないその電圧ＶＧが上昇し所定の電圧Ｖ１に達すると、サイリスタ整流器５のゲート制御を開始して発電機１側から励磁電流の供給を開始し、断路器１２を開とする。なお、発電機１の電圧ＶＧがＶ１に達したとき、発電機１側から励磁電流が供給され、直流電源線９側からは供給されず断路器１２を流れる電流がほぼ零になるように、抵抗器１１の抵抗値が設定されている。断路器１２を流れる電流がほぼ零になったときに励磁電流の供給元を直流電源線９側から発電機１側に切り替えるので、起動時に複雑な制御が不要である。【選択図】図１
2010088234.tif 000002
【特許請求の範囲】
【請求項１】
発電機の界磁巻線に励磁電流を供給する第１及び第２の励磁装置を有するものであって、
上記第１の励磁装置は、直流変換装置と界磁用開閉手段とを有し、
上記直流変換装置は、上記発電機の交流出力を発電機側直流出力に変換するものであって、上記発電機側直流出力が上記界磁用開閉手段を介して上記界磁巻線に供給されるものであり、
上記第２の励磁装置は、起動時励磁電流出力装置と開閉器と開閉器制御装置とを有し、
上記起動時励磁電流出力装置は、起動時励磁電流を出力するものであって、上記開閉器を介して上記界磁用開閉手段の上記直流変換装置側に接続されて上記界磁用開閉手段を介して上記界磁巻線に接続され、
上記開閉器制御装置は、上記発電機の起動時に上記開閉器を閉路して上記起動時励磁電流出力装置から上記界磁巻線に上記起動時励磁電流を供給するとともに上記第１の励磁装置から上記発電機側直流出力を上記界磁巻線に供給しうる状態にし、上記発電機の出力電圧が所定の電圧になるのを検出して又は上記発電機の出力電圧が上昇して上記起動時励磁電流出力装置から上記界磁巻線に供給される上記起動時励磁電流がほぼ零になるのを検出して上記開閉器を開路し、上記第１の励磁装置から上記発電機側直流出力を上記界磁巻線に供給するものである
発電機の励磁装置。
【請求項２】
上記起動時励磁電流出力装置は、抵抗器を有するものであって、上記起動時励磁電流を上記抵抗器を介して上記界磁巻線に供給するものであることを特徴とする請求項１に記載の発電機の励磁装置。
【請求項３】
上記抵抗器は、抵抗値を変更することができる可変抵抗器であることを特徴とする請求項２に記載の発電機の励磁装置。
【請求項４】
上記起動時励磁電流出力装置は、上記界磁巻線の温度に応じて上記可変抵抗器の抵抗値を制御する抵抗制御装置を有するものであることを特徴とする請求項３に記載の発電機の励磁装置。
【請求項５】
上記起動時励磁電流出力装置は、交流を直流に変換して上記起動時励磁電流として出力する起動時用直流変換装置を有するものであることを特徴とする請求項１に記載の発電機の励磁装置。
【請求項６】
上記起動時励磁電流出力装置は、変圧器を有するものであって、上記交流を上記変圧器により所定の電圧の交流に変圧して上記起動時用直流変換装置に供給するものであることを特徴とする請求項５に記載の発電機の励磁装置。
【請求項７】
上記変圧器は、変圧比を変更できる出力電圧可変変圧器であることを特徴とする請求項６に記載の発電機の励磁装置。
【請求項８】
上記起動時励磁電流出力装置は、上記界磁巻線の温度に応じて上記出力電圧可変変圧器の出力電圧を制御する変圧器制御装置を有するものであることを特徴とする請求項７に記載の発電機の励磁装置。
【請求項９】
上記起動時励磁電流出力装置は、上記界磁巻線の温度に応じて上記起動時用直流変換装置が出力する上記起動時励磁電流を制御する起動時励磁電流制御装置を有するものであることを特徴とする請求項５に記載の発電機の励磁装置。
【請求項１０】
上記起動時用直流変換装置は、整流素子としてサイリスタ又は絶縁ゲートバイポーラトランジスタを用いるものであって、上記起動時励磁電流制御装置は上記サイリスタ又は上記絶縁ゲートバイポーラトランジスタを制御するものであることを特徴とする請求項１０に記載の発電機の励磁装置。
【発明の詳細な説明】
【技術分野】
【０００１】
本発明は、発電機の励磁装置に関する。
【背景技術】
【０００２】
従来、発電機の励磁装置としてのガスタービン静止型起動システムにおいて、ガスタービンの起動時には、静止形起動装置からの可変周波数の電圧は、インバータ変圧器及び起動用断路器を介してガスタービンに直結された同期発電機に印加される。また、起動用励磁電源から同発電機の界磁巻線に励磁電流が供給される。起動用励磁電源は、交流の所内電源に接続された遮断器、起動用励磁電源変圧器、起動用励磁整流器及び起動用遮断器から構成される。一方、ガスタービンの起動完了後には、起動用遮断器が開放され所内電源が切り離され切替断路器が閉じられて、同期発電機の界磁巻線には順変換器の直流電圧が印加され、順変換器から励磁電流が供給される（例えば、特許文献１参照）。
【０００３】
【特許文献１】特開平７−３３２０１２号公報（段落番号００３６、００３７及び図１）
【発明の開示】
【発明が解決しようとする課題】
【０００４】
従来の発電機の励磁装置としてのガスタービン静止型起動システムは上記のように構成され、起動時には起動用励磁電源から起動用遮断器を介して同発電機の界磁巻線に励磁電流が供給され、起動完了後には起動用遮断器が開放され切替断路器が閉じられて、同期発電機の界磁巻線には順変換器の直流電圧が印加され、順変換器から励磁電流が供給される。このため、起動後に起動用遮断器を開放して同期発電機の界磁巻線を起動用励磁電源から切り離すとともに、切替断路器を閉じて同期発電機の界磁巻線に順変換器の直流電圧を印加しなければならない。従って、起動用遮断器と切替断路器との切替制御が必要となる。併せて、順変換器を適切に制御する必要があり、切替制御を始めとする複雑な制御が必要となるため装置が複雑になり、さらに起動用遮断器が必要でありこの点からも装置が複雑になるという問題点があった。
【０００５】
この発明は上記のような問題点を解決するためになされたものであり、起動時に複雑な制御が不要で装置を簡易化できる発電機の励磁装置を得ることを目的とする。
【課題を解決するための手段】
【０００６】
この発明に係る発電機の励磁装置においては、
発電機の界磁巻線に励磁電流を供給する第１及び第２の励磁装置を有するものであって、
第１の励磁装置は、直流変換装置と界磁用開閉手段とを有し、
直流変換装置は、発電機の交流出力を発電機側直流出力に変換するものであって、発電機側直流出力が界磁用開閉手段を介して界磁巻線に供給されるものであり、
第２の励磁装置は、起動時励磁電流出力装置と開閉器と開閉器制御装置とを有し、
起動時励磁電流出力装置は、起動時励磁電流を出力するものであって、開閉器を介して界磁用開閉手段の直流変換装置側に接続されて界磁用開閉手段を介して界磁巻線に接続され、
開閉器制御装置は、発電機の起動時に開閉器を閉路して起動時励磁電流出力装置から界磁巻線に起動時励磁電流を供給するとともに第１の励磁装置から発電機側直流出力を界磁巻線に供給しうる状態にし、発電機の出力電圧が所定の電圧になるのを検出して又は発電機の出力電圧が上昇して起動時励磁電流出力装置から界磁巻線に供給される起動時励磁電流がほぼ零になるのを検出して開閉器を開路し、第１の励磁装置から発電機側直流出力を界磁巻線に供給するものである。
【発明の効果】
【０００７】
この発明は、
発電機の界磁巻線に励磁電流を供給する第１及び第２の励磁装置を有するものであって、
第１の励磁装置は、直流変換装置と界磁用開閉手段とを有し、
直流変換装置は、発電機の交流出力を発電機側直流出力に変換するものであって、発電機側直流出力が界磁用開閉手段を介して界磁巻線に供給されるものであり、
第２の励磁装置は、起動時励磁電流出力装置と開閉器と開閉器制御装置とを有し、
起動時励磁電流出力装置は、起動時励磁電流を出力するものであって、開閉器を介して界磁用開閉手段の直流変換装置側に接続されて界磁用開閉手段を介して界磁巻線に接続され、
開閉器制御装置は、発電機の起動時に開閉器を閉路して起動時励磁電流出力装置から界磁巻線に起動時励磁電流を供給するとともに第１の励磁装置から発電機側直流出力を界磁巻線に供給しうる状態にし、発電機の出力電圧が所定の電圧になるのを検出して又は発電機の出力電圧が上昇して起動時励磁電流出力装置から界磁巻線に供給される起動時励磁電流がほぼ零になるのを検出して開閉器を開路し、第１の励磁装置から発電機側直流出力を界磁巻線に供給するものであるので、
起動時に複雑な制御が不要で装置を簡易化できる発電機の励磁装置を得ることができる。
【発明を実施するための最良の形態】
【０００８】
実施の形態１．
図１、図２は、この発明を実施するための実施の形態１を示すものであり、図１は発電機の励磁装置の構成を示す構成図、図２は図１の制御装置の動作を説明するための説明図である。図１において、ガスタービンで駆動される発電機１は界磁巻線１ａを有し、図示しない電機子巻線が電力系統に接続される。また、励磁変圧器２が発電機１に接続され、降圧された発電機１の交流はサイリスタ整流器５により直流に変換され、界磁遮断器６を介して界磁巻線１ａに供給できるようにされている。
【０００９】
図示しない直流電源に接続された直流電源線９、逆流防止のダイオード１０、適切な励磁電流に電流値を設定するための抵抗器１１及び断路器１２を介して、サイリスタ整流器５の直流出力側に接続されている。断路器１２は、起動時に必要な外部から供給される本直流電力が不要となったときに本回路を切り離すためのものである。発電機１の出力電圧は、計器用変圧器４１にて検出され、制御装置１６に送られる。制御装置１６の制御信号は断路器１２及びサイリスタ整流器５へ出力される。
【００１０】
なお、励磁変圧器２、直流変換装置としてのサイリスタ整流器５、界磁用開閉手段としての界磁遮断器６がこの発明における第１の励磁装置であり、起動時励磁電流出力装置としての直流電源線９、抵抗器１１、開閉器としての断路器１２、開閉器制御装置としての制御装置１６がこの発明における第２の励磁装置である。
【００１１】
次に、動作について説明する。
図１において、発電機１の起動時には断路器１２及び界磁遮断器６が閉じられており、直流電源線９側からの給電により、発電機１の界磁巻線１ａに励磁電流が供給される。この時点で発電機１の出力は低く、よって励磁変圧器２経由の界磁電圧は低く、サイリスタ整流器５もゲート制御されず、開放の状態にある。従って、直流電源９側と励磁変圧器２側は絶縁された状態にある。発電機１の回転の上昇にともない図２に示すようにその電圧ＶＧは時間ｔの経過とともに上昇する。
【００１２】
時間ｔ１において発電機１の電圧ＶＧが所定の電圧Ｖ１に、つまり励磁変圧器２の二次側の電圧が界磁巻線１ａに励磁電流を供給するために必要な電圧に達する。発電機１の出力電圧は計器用変圧器４１を介して制御装置１６により監視されており、発電機１の電圧ＶＧが電圧Ｖ１に達すると、制御装置１６はサイリスタ整流器５のゲート制御を開始して励磁変圧器２側からの励磁電流の供給を開始するとともに断路器１２を開とする。なお、発電機１の電圧ＶＧが電圧Ｖ１に達したとき、界磁巻線１ａには励磁変圧器２、サイリスタ整流器５側から励磁電流が供給され、直流電源線９側からは供給されず断路器１２を流れる電流がほぼ零になるように、抵抗器１１の抵抗値が設定されている。
【００１３】
以上のように、この実施の形態によれば起動時は直流電源線９側から励磁電流を供給し、発電機１の電圧ＶＧが所定の電圧Ｖ１に達し発電機１から励磁電流を供給できるようになり断路器１２を流れる電流がほぼ零になったときに断路器１２を開とすることにより直流電源線９側を界磁巻線１ａから切り離す。このため、複雑な制御を要しない。また、切り替えのために直流電源線９側に界磁巻線１ａへ供給する電流を遮断するための遮断器を設けなくてもよく断路器１２を設ければ足り、また複雑な制御ロジックが必要でなくなる。このため、発電機の励磁装置を簡易なものとすることができる。
【００１４】
実施の形態２．
図３は、この発明の実施の形態２である発電機の励磁装置の構成を示す構成図である。図３において、発電機１の界磁巻線１ａの抵抗値は必ずしも設計された値と一致するとは限らず、また界磁巻線１ａの巻き替え工事などにより抵抗値が変化することがある。その場合、界磁巻線１ａの抵抗値に応じて、起動時に界磁巻線１ａに供給する電流が適切な値になるように調整する必要がある。この実施の形態は、上記のような問題に対応するためのものであり、可変抵抗器１３をタップ付き又はスライダ付きの抵抗器とすることにより、調整試験時などに抵抗値を調整して容易に適切な励磁電流に設定することが可能となる。
なお、直流電源線９、可変抵抗器１３、断路器１２、制御装置１６がこの発明における第２の励磁装置である。
【００１５】
実施の形態３．
図４は、この発明の実施の形態３である発電機の励磁装置の構成を示す構成図である。図４において、発電機１の界磁巻線１ａの抵抗は界磁巻線１ａの温度により変化する。そのため、可変抵抗１３の適切な抵抗値は界磁巻線１ａの温度によって変化することになる。この実施の形態は、発電機１の界磁巻線１ａの温度を測定する測温素子３１を設け、その検出温度により抵抗制御装置３６により可変抵抗３３を調整し、適切な励磁電流を流すことができるようにしたものである。
なお、直流電源線９、可変抵抗器１３、断路器１２、制御装置１６がこの発明における第２の励磁装置である。
【００１６】
この実施の形態によれば、直流電源線９側から供給される励磁電流を適切な電流値に制御することができ、直流電源の容量も過大にならず適切なものにすることができる。
【００１７】
実施の形態４．
図５は、この発明の実施の形態４である発電機の励磁装置の構成を示す構成図である。図５において、先に説明した各実施の形態においては、起動時に直流電源線９側から供給する励磁電流の調整のために抵抗器を用いているため、起動時に必要となる励磁電流値が小さい場合には問題ないが、発電機が大容量になり励磁電流が大きくなると発熱が大きくなるため、抵抗器のサイズが大きくなり、電力損失も大きくなるという問題がある。
【００１８】
この実施の形態は、このような問題を解決するためのものであり、図示しない交流電源に接続された交流電源線１５の電圧Ｖａｃを変圧器１８により適切な励磁電流を供給するための電圧まで降圧し、ダイオード整流器１７により発電機１の界磁巻線１ａに励磁電流を供給するようにしたものである。
なお、交流電源線１５、変圧器１８、起動時用直流変換装置としてのダイオード整流器１７、断路器１２、制御装置１６がこの発明における第２の励磁装置である。
【００１９】
この実施の形態によれば、電力損失は主として変圧器１８とダイオード整流器１７におけいて発生することになるため、図１や図３などに示した抵抗器１１や抵抗器１３を使用するものに比べ発熱が小さくなり、機器サイズ、電力損失が小さくなるという効果がある。
【００２０】
実施の形態５．
図６は、この発明の実施の形態５である発電機の励磁装置の構成を示す構成図である。図６において、前述の通り、発電機１の界磁巻線１ａの抵抗値は必ずしも設計された値と一致するとは限らず、また巻き替え工事などにより変化する可能性がある。また、起動時に必要な励磁電流の値は設計値どおりとは限らないことがある。
【００２１】
この実施の形態は、上記のような問題に対応するためのものであり、タップ切換器付変圧器１９を用いることにより、調整試験時に変圧器の変圧比を調整することが可能となる。なお、タップ切換器付変圧器１９のかわりに、負荷時切換タップ切換器付変圧器、誘導電圧調整器などの変圧比が変更可能な電磁誘導機器を用いることもできる。
なお、交流電源線１５、出力電圧可変変圧器としてのタップ切換器付変圧器１９、起動時用直流変換装置としてのダイオード整流器１７、断路器１２、制御装置１６がこの発明における第２の励磁装置である。
【００２２】
実施の形態６．
図７は、この発明の実施の形態６である発電機の励磁装置の構成を示す構成図である。図７において、前述の通り、起動時に必要な励磁電流の値は界磁巻線１ａの抵抗値により変化し、界磁巻線の抵抗は温度により変化する。
【００２３】
この実施の形態は、上記のような問題に対応するためのものであり、界磁巻線１ａの巻線温度を測定する測温素子３１を設け、その検出温度により変圧器制御装置５２により負荷時タップ切換器付変圧器５１の変圧比を切り換えて励磁電流を調整するようにしたことを特徴とする。
なお、交流電源線１５、出力電圧可変変圧器としての負荷時タップ切換器付変圧器５１、起動時用直流変換装置としてのダイオード整流器１７、断路器１２、制御装置１６、変圧器制御装置５２がこの発明における第２の励磁装置である。
【００２４】
この実施の形態によれば、最適な励磁電流を供給できるため起動時に励磁用電力を供給する交流電源の容量を適切なものとすることができる。
【００２５】
実施の形態７．
図８は、この発明の実施の形態７である発電機の励磁装置の構成を示す構成図である。実施の形態５，６（図６、図７）ではタップ切換器付変圧器１９や負荷時タップ切換器付変圧器５１を制御して界磁巻線１ａに供給する励磁電流を調整していたが、図８においてはサイリスタ整流器６１及びサイリスタ制御装置６２を用いている。
なお、交流電源線１５、変圧器１８、起動時用直流変換装置及び起動時励磁電流制御装置としてのサイリスタ整流器６１及びサイリスタ制御装置６２、断路器１２、制御装置１６がこの発明における第２の励磁装置である。
【００２６】
この実施の形態によれば、サイリスタ制御装置６２及びサイリスタ整流器６１により界磁巻線１ａに供給する電流を制御することが可能である。タップ付変圧器１９や負荷時タップ切換器付変圧器５１等を用いて電流を調整するものに比べ、サイリスタ制御装置６２及びサイリスタ整流器６１の調整速度が充分に速いことから、より制御性に優れた電流抑制が可能となる。
【００２７】
実施の形態８．
図９は、この発明の実施の形態８である発電機の励磁装置の構成を示す構成図である。実施の形態７ではサイリスタ整流器を用いていたが、起動時にのみ励磁電流を供給するために使用されるものであるため、流すべき励磁電流の値は定常運転時の１／１０程度と小さいことから、ＩＧＢＴ整流器６３を設けてＩＧＢＴ制御装置６４により、界磁巻線１ａに供給する電流を調整するようにしたものである。ＩＧＢＴ（Ｉｎｓｕｌａｔｅｄ  Ｇａｔｅ  Ｂｉｐｏｌａｒ  Ｔｒａｎｓｉｓｔｏｒ：絶縁ゲートバイポーラトランジスタ）は通常のトランジスタと同様の使用方法が適用でき、サイリスタに比べ複雑なゲート回路が不要であり、制御回路がその分単純となる。
なお、交流電源線１５、変圧器１８、起動時用直流変換装置及び起動時励磁電流制御装置としてのＩＧＢＴ整流器６３及びＩＧＢＴ制御装置６４、断路器１２、制御装置１６がこの発明における第２の励磁装置である。
【００２８】
この実施の形態によれば、ＩＧＢＴ整流器６３及びＩＧＢＴ制御装置６４を用いているので、サイリスタ整流器より単純な制御回路で、励磁電流の調整を行うことができ、さらに安価に装置を構成できる。
【００２９】
実施の形態９．
図１０は、この発明の実施の形態９である発電機の励磁装置の構成を示す構成図である。実施の形態５，６では交流電源Ｖａｃを降圧するタップ付変圧器１９や負荷時タップ切換器付変圧器５１を設けて電圧を降圧するとともに電圧の調整をしていたが、この実施の形態においては、図１０に示すように、耐圧の高いサイリスタ整流器６５をサイリスタ制御装置６６により制御することにより、タップ付変圧器１９や負荷時タップ切換器付変圧器５１を不要としたものである。
なお、交流電源線１５、起動時用直流変換装置及び起動時励磁電流制御装置としてのサイリスタ整流器６５及びサイリスタ制御装置６５、断路器１２、制御装置１６がこの発明における第２の励磁装置である。
【００３０】
この実施の形態によれば、タップ付変圧器１８や負荷時タップ切換器付変圧器１９を省略でき、さらに安価に装置を構成できる。
【００３１】
実施の形態１０．
図１１は、この発明の実施の形態１０である発電機の励磁装置の構成を示す構成図である。実施の形態９（図１０）では耐圧の高いサイリスタ整流器６５を設けて電圧の調整をしていたが、この実施の形態においては、図１１に示すように、耐圧の高いＩＧＢＴ整流器７１をＩＧＢＴ制御装置７２により制御することにより、タップ付変圧器１８や負荷時タップ切換器付変圧器１９を省略したものである。
なお、交流電源線１５、起動時用直流変換装置及び起動時励磁電流制御装置としてのＩＧＢＴ整流器７１及びＩＧＢＴ制御装置７２、断路器１２、制御装置１６がこの発明における第２の励磁装置である。
【００３２】
この実施の形態によれば、サイリスタ整流器より制御回路を簡略化できるＩＧＢＴを用いているので、さらに安価に装置を構成できる。
【００３３】
実施の形態１１．
図１２は、この発明の実施の形態１１である発電機の励磁装置の構成を示す構成図である。以上の実施の形態１〜１０では、計器用変圧器４１及び制御装置１６により発電機１の出力電圧ＶＧが所定値Ｖ１になるのを検出していた。そして、このとき断路器１２を流れる電流がほぼ零になるようにされていた。この実施の形態においては、発電機１の出力電圧ＶＧが所定値Ｖ１になるのを検出する代わりに、断路器１２と界磁遮断器６との間にＤＣＣＴ（直流変流器）７５を設け、制御装置７６にてＤＣＣＴ７５を流れる電流がほぼ零になるのを検出して、サイリスタ整流器５のゲート制御を開始して励磁変圧器２側からの励磁電流の供給を開始するとともに断路器１２を開とする。
【００３４】
この実施の形態によれば、断路器１２を流れる電流がほぼ零になるのを検出して励磁電流の供給元を直流電源線９側から励磁変圧器２（発電機１）側へと切り替えるので、より精度の良いタイミングで切替を行うことができる。なお、実施の形態２〜１１においても、制御装置１６の代わりに同様のＤＣＣＴ７５及び制御装置７６にて直流電源線１５側から励磁巻線１ａへ流れる励磁電流がほぼ零になるタイミングを検出してももよい。
【００３５】
実施の形態１２．
図１３は、この発明の実施の形態１２である発電機の励磁装置の構成を示す構成図である。以上の実施の形態１〜１１では、サイリスタ整流器５の発電機１側である交流側に遮断器がないため、サイリスタ整流器５を発電機１の主回路から切り離すことができない。これはさほど問題ではないが、この実施の形態は、図１の実施の形態１においてサイリスタ整流器５を発電機１の主回路から切り離すために交流側界磁遮断器２２をサイリスタ整流器５の交流側に設けたものである。
【００３６】
この実施の形態によれば、上記に示したように交流側界磁遮断器２２を開いたときにサイリスタ整流器５を発電機１の主回路から切り離すことができるため、メンテナンス性に優れている。なお、実施の形態２〜１１においても、同様の交流側界磁遮断器を設けてもよい。
【００３７】
以上の各実施の形態においては、界磁遮断器６を用いているが、代わりに界磁断路器を用いることもできる。
【図面の簡単な説明】
【００３８】
【図１】この発明の実施の形態１である発電機の励磁装置の構成を示す構成図である。
【図２】図１の制御装置の動作を説明するための説明図である。
【図３】この発明の実施の形態２である発電機の励磁装置の構成を示す構成図である。
【図４】この発明の実施の形態３である発電機の励磁装置の構成を示す構成図である。
【図５】この発明の実施の形態４である発電機の励磁装置の構成を示す構成図である。
【図６】この発明の実施の形態５である発電機の励磁装置の構成を示す構成図である。
【図７】この発明の実施の形態６である発電機の励磁装置の構成を示す構成図である。
【図８】この発明の実施の形態７である発電機の励磁装置の構成を示す構成図である。
【図９】この発明の実施の形態８である発電機の励磁装置の構成を示す構成図である。
【図１０】この発明の実施の形態９である発電機の励磁装置の構成を示す構成図である。
【図１１】この発明の実施の形態１０である発電機の励磁装置の構成を示す構成図である。
【図１２】この発明の実施の形態１１である発電機の励磁装置の構成を示す構成図である。
【図１３】この発明の実施の形態１２である発電機の励磁装置の構成を示す構成図である。
【符号の説明】
【００３９】
１  発電機、１ａ  界磁巻線、２  励磁変圧器、５  サイリスタ整流器、
６  界磁遮断器、９  直流電源線、１０  ダイオード、１１  抵抗器、１２  断路器、
１３  可変抵抗器、１５  交流電源線、１６  制御装置、２２  交流側界磁遮断器、
３３  可変抵抗器、３６  抵抗制御装置、１７  ダイオード整流器、１８  変圧器、
１９  タップ付変圧器、４１  計器用変圧器、５１  負荷時タップ切換器付変圧器、
５２  変圧器制御装置、６１  サイリスタ整流器、６２  サイリスタ制御装置、
６３  ＩＧＢＴ整流器、６４  ＩＧＢＴ制御装置、６５  サイリスタ整流器、
６６  サイリスタ制御装置、７１  ＩＧＢＴ整流器、７２  ＩＧＢＴ制御装置、
７５  ＤＣＣＴ、７６  制御装置。
【図１】
2010088234.tif 000003
【図２】
2010088234.tif 000004
【図３】
2010088234.tif 000005
【図４】
2010088234.tif 000006
【図５】
2010088234.tif 000007
【図６】
2010088234.tif 000008
【図７】
2010088234.tif 000009
【図８】
2010088234.tif 000010
【図９】
2010088234.tif 000011
【図１０】
2010088234.tif 000012
【図１１】
2010088234.tif 000013
【図１２】
2010088234.tif 000014
【図１３】
2010088234.tif 000015